(57)【要約】【課題】表示装置において、筐体の向きを維持しつつ、表示部の姿勢の切替えを容易に行えるようにする。【解決手段】表示装置は、第１筐体と、第２筐体と、を備える。この第１筐体は、取付部と、複数の凹部と、を有する。前記取付部は略正方形である。前記複数の凹部は、前記取付部の各辺に対応するように各辺が設けられる第１仮想正方形の隣り合う辺上であって、該第１仮想正方形の中心に対し９０°回転対称となる位置に配置される。また、この第２筐体は、突出部を有する。前記突出部は、前記第１仮想正方形と一致する第２仮想正方形の辺上に、前記第１仮想正方形の隣り合う辺の前記凹部の何れにも嵌合するように配置される。【選択図】図１
2018006532.tif 000002
【特許請求の範囲】
【請求項１】
略正方形の取付部と、
前記取付部の各辺に対応するように各辺が設けられる第１仮想正方形の隣り合う辺上であって、該第１仮想正方形の中心に対し９０°回転対称となる位置に配置される複数の凹部と、
を有する第１筐体と、
前記第１仮想正方形と一致する第２仮想正方形の辺上に、前記第１仮想正方形の隣り合う辺の前記凹部の何れにも嵌合する突出部を有する第２筐体と、
を備えることを特徴とする表示装置。
【請求項２】
請求項１に記載の表示装置であって、
前記第１筐体は、開口が形成される筐体であり、
前記取付部は前記開口の周囲に沿って設けられ、
前記第２筐体は、表示部であることを特徴とする表示装置。
【請求項３】
請求項１に記載の表示装置であって、
前記第１筐体は、表示部であり、
前記第２筐体は、開口が形成される筐体であり、
前記第２仮想正方形は前記第２筐体の前記開口の周囲に沿って想定される
ことを特徴とする表示装置。
【請求項４】
請求項１から３までの何れか一項に記載の表示装置であって、
前記突出部は、中央部の突出長さが大きく、外側に向かうにつれて突出長さが小さくなる形状を有することを特徴とする表示装置。
【請求項５】
請求項１から４までの何れか一項に記載の表示装置であって、
前記凹部は、中央部が深く、外側に向かうにつれて浅くなる形状を有することを特徴とする表示装置。
【請求項６】
請求項１から５までの何れか一項に記載の表示装置であって、
前記第１仮想正方形の各辺上に、少なくとも１つの前記凹部又は前記突出部が配置され、
前記第２仮想正方形の各辺上に、前記凹部に対応する前記突出部、又は前記突出部に対応する前記凹部が配置されることを特徴とする表示装置。
【請求項７】
請求項１から６までの何れか一項に記載の表示装置であって、
前記凹部は前記突出部に対して広く形成されることを特徴とする表示装置。
【請求項８】
請求項２に記載の表示装置であって、
前記表示部は、
ディスプレイ本体の背面を覆う背面カバーと、
当該背面カバーに取り付けられる構成部品と、
を有し、
前記突出部は、前記背面カバーに前記構成部品を取り付ける軸部材の頭部であることを特徴とする表示装置。
【請求項９】
請求項８に記載の表示装置であって、
前記構成部品は、前記ディスプレイ本体の外周を覆う表示カバーと、前記ディスプレイ本体と、であり、
前記背面カバーに前記表示カバーを取り付けるための前記軸部材は、前記第２仮想正方形において互いに対向する２辺に配置され、
前記背面カバーに前記ディスプレイ本体を取り付けるための前記軸部材は、前記第２仮想正方形の他の対向する２辺に配置されることを特徴とする表示装置。
【請求項１０】
請求項９に記載の表示装置であって、
前記第２仮想正方形の辺のうちの第１辺には前記軸部材としての２つの第１軸部材が配置され、
前記第１辺と対向する辺である第２辺には前記軸部材としての２つの第２軸部材が配置され、
前記第１軸部材の頭部の間の距離と、前記第２軸部材の頭部の間の距離と、が異なることを特徴とする表示装置。
【請求項１１】
請求項２又は３に記載の表示装置であって、
前記表示部と、前記表示部ではない方の前記筐体内に収容される制御部と、を繋ぐ配線が、前記表示部の取付側面の中央部から引き出されていることを特徴とする表示装置。
【請求項１２】
請求項２又は３に記載の表示装置であって、
前記表示部は略長方形であることを特徴とする表示装置。
【発明の詳細な説明】
【技術分野】
【０００１】
本発明は、主として表示装置に関する。詳細には、表示部の筐体に対する取付向きを縦向き又は横向きに変更可能な表示装置に関する。
【背景技術】
【０００２】
従来から、内部に制御部を収容する筐体と、当該筐体に取り付けられる表示部と、を備える表示装置が知られている。特許文献１は、この種の表示装置である船舶設置用測定機器を開示する。
【０００３】
特許文献１の船舶設置用測定機器では、表示部及び操作部の背面にそれぞれ固着部が設けられており、表示部及び操作部を、縦向き又は横向きに配置して、表示部及び操作部の固着部に対して筐体の底シャーシの穴からボルトを螺合することにより、表示部及び操作部を縦型又は横型に取り付けることが可能となっている。
【先行技術文献】
【特許文献】
【０００４】
【特許文献１】特開２０００−２９８１６７号公報
【発明の概要】
【発明が解決しようとする課題】
【０００５】
しかし、上記特許文献１の構成では、表示部及び操作部の配置を縦型から横型へ、又は横型から縦型へ変更する際には、表示部等とともに筐体の向きを９０°変更する必要があった。このため、表示部を縦型にするときと横型にするときとで、筐体を支持する支持部を別の部品に変更したり、支持部を取り付ける場所を変えたりする必要があって、部品点数の増加及び構造の複雑化の原因となっていた。
【０００６】
本発明は以上の事情に鑑みてされたものであり、その目的は、筐体の向きを維持しつつ、表示部の姿勢の切替えを容易に行えるようにすることにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の表示装置が提供される。即ち、この表示装置は、第１筐体と、第２筐体と、を備える。この第１筐体は、取付部と、複数の凹部と、を有する。前記取付部は略正方形である。前記複数の凹部は、前記取付部の各辺に対応するように各辺が設けられる第１仮想正方形の隣り合う辺上であって、該第１仮想正方形の中心に対し９０°回転対称となる位置に配置される。また、この第２筐体は、突出部を有する。前記突出部は、前記第１仮想正方形と一致する第２仮想正方形の辺上に、前記第１仮想正方形の隣り合う辺の前記凹部の何れにも嵌合するように配置される。
【０００９】
これにより、突出部を収容する凹部を変更することで、第２筐体を第１筐体に対して９０°回転させて取り付けることができる。その際、突出部が凹部に嵌合するように第１筐体と第２筐体とを配置することで容易に位置決めすることができる。また、例えば、第１筐体及び第２筐体のうちの一方を表示部、他方を制御部等が収容される筐体（ハウジング）とすることで、表示部の姿勢の切替え（例えば、縦向きと横向きの間の切替え）を容易に行うことができる。
【図面の簡単な説明】
【００１０】
【図１】本発明の一実施形態に係る表示装置において、表示部と筐体とが互いに分離された状態を示す斜視図。
【図２】表示装置の全体的な構成を示す斜視図。
【図３】表示部の分解斜視図。
【図４】ディスプレイ本体及びディスプレイ取付フレームの構成を示す斜視図。
【図５】表示カバーの構成を示す斜視図。
【図６】背面カバーの構成を示す斜視図。
【図７】表示部の斜視図。
【図８】筐体の斜視図。
【図９】背面を上に向けた状態の表示部に対して筐体が置かれ、位置決めがされている状態を示す斜視図。
【図１０】図９の２点鎖線で示した円の部分を示す拡大図。
【図１１】表示装置に備えられる位置決め構造を示す断面図。
【発明を実施するための形態】
【００１１】
次に、図面を参照して本発明の実施の形態を説明する。初めに、図２を参照して、本実施形態の表示装置１の全体的な構成について説明する。図２は、本発明の一実施形態に係る表示装置１の全体的な構成を示す前方斜視図である。
【００１２】
図２に示す表示装置１は、舶用機器（レーダ装置、魚群探知機、航法装置等）で生成された画像を表示画面１１ａに表示する装置である。
【００１３】
図２に示すように、表示装置１は、筐体（第１筐体）２０と、表示部（第２筐体）１０と、を備える。筐体２０は、支持台４０によって支持されるとともに、支持台４０に対して着脱可能となっている。なお、図２以外においては、筐体２０から支持台４０が取り外された状態が示されている。
【００１４】
表示部１０は、正面視で長辺と短辺とを有する長方形状に構成されている。図１には表示部１０が横向きの場合が描かれているが、後述するように、表示装置１においては、筐体２０に対する表示部１０の取付け方を変更することにより、表示部１０の姿勢を横向きと縦向きの間で切り替えることができる。
【００１５】
筐体２０は、正面視で正方形となる箱状に形成されており、その前面側は、略正方形状の開口２０ａを通じて開放されている。筐体２０の開放側の端部には、外側に突出するフランジ（取付部）２０ｂが形成されている。フランジ２０ｂは、開口２０ａの縁部に沿って正面視で略正方形状に構成されており、このフランジ２０ｂを介して、表示部１０が開口２０ａを閉塞するように筐体２０に対して取り付けられる。
【００１６】
以下では、表示部１０の詳細な構成について、主として図３から図７までを参照して説明する。図３は、表示部１０の分解斜視図である。図４は、ディスプレイ本体１１及びディスプレイ取付フレーム１３の構成を示す斜視図である。図５は、表示カバー１２の構成を示す斜視図である。図６は、背面カバー１４の構成を示す斜視図である。図７は、表示部１０の斜視図である。なお、図３から図７までにおいて、各部材は、正面側が下、背面側が上となるように描かれている。
【００１７】
図３に示すように、表示部１０は、ディスプレイ本体１１、表示カバー１２、ディスプレイ取付フレーム１３、及び背面カバー１４等を備える。
【００１８】
ディスプレイ本体１１は、液晶パネルとして構成されており、その前面には、舶用機器で生成された画像を表示するための表示画面１１ａ（図２を参照）が配置されている。なお、図示はしていないが、本実施形態の表示装置１は、表示画面１１ａの表示の切替え等の操作をするためのボタン及びダイアル等の操作部を別途備えている。表示画面１１ａは、正面視で長辺と短辺とを有する長方形状に構成されている。図４に示すように、ディスプレイ本体１１の背面にはディスプレイ取付フレーム１３が組み付けられている。また、ディスプレイ本体１１の背面から、ディスプレイ本体１１のバックライトに電力を供給するための第１ケーブル１５と、ディスプレイ本体１１に映像信号を出力するための第２ケーブル１６と、が引き出されている。
【００１９】
表示カバー１２は、ディスプレイ本体１１の外周を覆うカバーである（図２を参照）。表示カバー１２は、前述の表示画面１１ａの縁部に沿うように、正面視で長辺と短辺とを有する長方形の枠状に構成されており、この枠の内部にディスプレイ本体１１が配置されている。表示カバー１２に対して正面に位置するユーザは、表示カバー１２の開口を通じて、ディスプレイ本体１１の前面に配置された表示画面１１ａを見ることができる。図５等に示すように、表示カバー１２の背面には、後述の背面カバー１４を表示カバー１２に対して固定するための複数のネジ孔１２ａ，１２ｂ，・・・が外周に沿って並べて形成されている。
【００２０】
ここで、辺の長さが、筐体２０のフランジ２０ｂがなす正方形の辺の長さと実質的に等しく、かつ、中心が表示部１０の中心と一致する第２仮想正方形（図５の第２仮想正方形Ｐ２）を考える。なお、第２仮想正方形Ｐ２の４つの辺は何れも、表示部１０の長辺又は短辺と平行になるように配置されるものとする。このとき、上記のネジ孔１２ａ，１２ｂの一部である４つのネジ孔１２ａは、上記のように規定された第２仮想正方形Ｐ２が有する４つの辺のうち、表示部１０の長辺に対応する２つの辺をそれぞれ概ね３等分するように配置される。
【００２１】
図４に示すディスプレイ取付フレーム１３は、ディスプレイ本体１１の背面に、ネジ止め等の適宜の手段で固定される。ディスプレイ取付フレーム１３は、ディスプレイ本体１１の外形に沿った概ね長方形の枠状に形成されている。ディスプレイ取付フレーム１３の枠状の部分のうち、互いに対向する短辺からは、この枠の内側に向かって突出するように突起１３ａ，１３ａ，・・・が２つずつ形成されている。
【００２２】
２つの前記短辺のうち、一側の短辺の２つの突起１３ａにはそれぞれネジ孔１３ｂが形成され、他側の短辺の２つの突起１３ａにはそれぞれネジ孔１３ｃが形成されている。これらの４つのネジ孔１３ｂ，１３ｃは、背面カバー１４にディスプレイ取付フレーム１３（ディスプレイ本体１１）を固定するためのものである。また、これらの４つのネジ孔１３ｂ，１３ｃは、図４に示すように、上記の第２仮想正方形Ｐ２が有する４つの辺のうち、表示部１０の短辺に対応する２つの辺をそれぞれ概ね３等分するように配置される。
【００２３】
ただし、一側の短辺におけるネジ孔１３ｂ，１３ｂの間の距離Ｄ１は、他側の短辺におけるネジ孔１３ｃ，１３ｃの間の距離Ｄ２よりも少し短くなっている（Ｄ１＜Ｄ２）。
【００２４】
図６に示す背面カバー１４は、ディスプレイ本体１１及び表示カバー１２の背面を覆う板状のカバーである。
【００２５】
背面カバー１４の中央部には、ディスプレイ本体１１に接続される第１ケーブル１５及び第２ケーブル１６を通すための円形のケーブル通過孔１４ａが貫通状に形成されている。背面カバー１４の適宜の位置には、放熱のための通気孔１４ｂ，１４ｂ，・・・が貫通状に複数形成されている。
【００２６】
背面カバー１４の外周部には、表示カバー１２のネジ孔１２ａ，１２ｂ，・・・に対応する差込孔１４ｃ，１４ｄ，・・・が形成されている。
【００２７】
また、ディスプレイ取付フレーム１３のネジ孔１３ｂ，１３ｂに対応する位置において、背面カバー１４に差込孔１４ｅ，１４ｅが形成されている。同様に、ディスプレイ取付フレーム１３のネジ孔１３ｃ，１３ｃに対応する位置において、背面カバー１４に差込孔１４ｆ，１４ｆが形成されている。前述のように、ネジ孔１３ｂ，１３ｂの間の距離Ｄ１とネジ孔１３ｃ，１３ｃの間の距離Ｄ２とが異なるので（Ｄ１≠Ｄ２）、仮に背面カバー１４を正規の向きと１８０°異なる向きでディスプレイ取付フレーム１３に取り付けようとした場合、ネジ孔１３ｂ，１３ｃと差込孔１４ｅ，１４ｆの位置が合わなくなる。これにより、誤った向きでの背面カバー１４の組付けを防止することができる。
【００２８】
また、後に詳述するが、背面カバー１４には、筐体２０を表示部１０（背面カバー１４）に対して取り付けるためのネジ孔１４ｇ，１４ｇ，・・・が形成される。ネジ孔１４ｇ，１４ｇ，・・・は、前述の第２仮想正方形Ｐ２の各頂点と、第２仮想正方形Ｐ２の各辺の中点と、に配置される。
【００２９】
以上の構成で、表示部１０を組み立てるには、表示カバー１２の枠の中にディスプレイ取付フレーム１３及びディスプレイ本体１１を嵌め込んだ状態で、表示カバー１２の背面を背面カバー１４で覆う。このとき、第１ケーブル１５及び第２ケーブル１６は、ケーブル通過孔１４ａを通過させて、背面カバー１４より背面側に引き出しておく。そして、この状態で、各差込孔１４ｃ，１４ｄ，１４ｅ，１４ｆ及びネジ孔１２ａ，１２ｂ，１３ｂ，１３ｃを用いてネジ止めすることにより、ディスプレイ本体１１、表示カバー１２、ディスプレイ取付フレーム１３、及び背面カバー１４を一体的に組み付けることができる。
【００３０】
組み立てられた状態の表示部１０が図７に示されており、ネジ止めされた部分において、ネジの頭部が表示部１０から多数突出している。これらのネジの頭部のうち、筐体２０と表示部１０の位置決めに使われる８つのネジの頭部を、図７において符号４１ａを付して示している。なお、この位置決めの詳細は後述する。
【００３１】
次に、筐体２０の構成について、図８を参照して説明する。図８は、筐体２０の斜視図である。
【００３２】
上述したとおり、筐体２０は、一側に略正方形の開口２０ａが形成された箱状の部材である。筐体２０の中には、ディスプレイ本体１１の表示内容を制御するための制御部３０が収容される。制御部３０は、筐体２０の内部に固定されている。
【００３３】
制御部３０には、前述のケーブル通過孔１４ａから引き出された第１ケーブル１５及び第２ケーブル１６の端部が、図示しない着脱可能なコネクタを介して電気的に接続されている。制御部３０は、第１ケーブル１５を介して、ディスプレイ本体１１のバックライトに電力を供給することができる。また、制御部３０は、第２ケーブル１６を介してディスプレイ本体１１に画像信号を出力して、表示画面１１ａに表示される内容を制御することができる。
【００３４】
図８に示すように、筐体２０の内部において、制御部３０には、第１ケーブル１５及び第２ケーブル１６を固定することが可能な公知の構成のケーブルクランプ３１が取り付けられている。ケーブルクランプ３１は、第１ケーブル１５及び第２ケーブル１６が制御部３０に接続する箇所よりも前記開口２０ａの中央部に近い位置に配置されて、第１ケーブル１５及び第２ケーブル１６を保持する。このケーブルクランプ３１は、第１ケーブル１５及び第２ケーブル１６の中途部が開口２０ａの縁部から十分に離れた位置で当該開口２０ａを通過するように向きを案内しつつ、第１ケーブル１５及び第２ケーブル１６を制御部３０に固定する。
【００３５】
図８に示すように、開口２０ａの縁部に相当する位置において、筐体２０から外側に向かってフランジ２０ｂが張り出している。フランジ２０ｂは、開口２０ａに沿う正方形状に構成されており、当該開口２０ａの外側に一定の幅で形成される。フランジ２０ｂの内周縁には、図略の略正方形状の溝が形成されており、この溝にパッキン２１が取り付けられている。パッキン２１は、筐体２０を表示部１０に固定したときに筐体２０の開口２０ａを密閉し、筐体２０内に水が入り込まないようにする防水機能を果たす。
【００３６】
上記のように構成した筐体２０において、フランジ２０ｂがなす正方形と実質的に同一の形状の第１仮想正方形（図８の第１仮想正方形Ｐ１）を考えることができる。この第１仮想正方形Ｐ１は、図１に示すように、上述した表示部１０における第２仮想正方形Ｐ２と対応（一致）している。
【００３７】
上記のように規定される第１仮想正方形Ｐ１に沿って、フランジ２０ｂに複数の穴（凹部）２０ｃ，２０ｃ，・・・が形成される。本実施形態では、穴２０ｃは図８等に示すように、第１仮想正方形Ｐ１の各辺を概ね３等分するように、各辺につき２つずつ形成される。従って、第１仮想正方形Ｐ１のある辺の２つの穴２０ｃ，２０ｃは、当該第１仮想正方形Ｐ１の中心を軸として９０°回転させたときに、その隣の辺の２つの穴２０ｃ，２０ｃと一致するように形成されている。更に言えば、本実施形態では、第１仮想正方形Ｐ１の中心を軸として９０°毎に回転させたときの穴２０ｃの位置が全て重なるように、穴２０ｃ，２０ｃ，・・・が配置されている。即ち、穴２０ｃ，２０ｃ，・・・は、第１仮想正方形Ｐ１の中心に関して９０°回転対称となるように配置されている。
【００３８】
図８に示すように、フランジ２０ｂには、貫通状の差込孔２０ｆが形成されている。この差込孔２０ｆは、上記の第１仮想正方形Ｐ１の各頂点と、第１仮想正方形Ｐ１の各辺の中点と、に配置される。従って、第１仮想正方形Ｐ１のある辺の両端及び中点にある差込孔２０ｆは、当該第１仮想正方形Ｐ１の中心を軸として９０°回転させたときに、その隣の辺の両端及び中点にある差込孔２０ｆと一致するように形成されている。また、差込孔２０ｆ，２０ｆ，・・・は、第１仮想正方形Ｐ１の中心に関して９０°回転対称となるように配置されている。
【００３９】
以下、表示部１０に対して筐体２０を取り付ける作業を具体的に説明する。図９は、背面を上に向けた状態の表示部１０に対して筐体２０が置かれ、位置決めがされている状態を示す斜視図である。図１０は、図９の２点鎖線で示した円の部分を示す拡大図である。図１１は、表示装置１に備えられる位置決め構造を示す断面図である。
【００４０】
最初に、図７に示すように、表示部１０を、表示画面１１ａが下を向くようにして（背面カバー１４が上を向くようにして）作業台の上等に置く。この状態で、表示部１０で規定した第２仮想正方形Ｐ２に対して、筐体２０で規定した第１仮想正方形Ｐ１が重なるように、表示部１０の背面（取付側面）側と筐体２０の開口側とを向かい合わせて、表示部１０の上に筐体２０を載せる。なお、図９に示すように、表示部１０側の第２仮想正方形Ｐ２に沿って配置される８つのネジの頭部４１ａが、筐体２０側の第１仮想正方形Ｐ１に沿って配置される８つの穴２０ｃにそれぞれ入っていれば（嵌合していれば）、上記の２つの仮想正方形Ｐ１，Ｐ２が概ね一致することになる。
【００４１】
ここで、ネジの頭部４１ａと穴２０ｃによる位置決め構造について詳細に説明する。図９において２点鎖線で囲った部分が図１０に拡大して示されており、位置決めのためのネジ４１は、上記の頭部４１ａと、頭部４１ａから直線状に延びる軸部４１ｂと、を有する。頭部４１ａは軸部４１ｂより大きな径を有しており、その頂部には、ドライバー等の工具を差し込むための図示しない溝が形成されている。ネジ４１を表示部１０に取り付けたときに頭部４１ａは背面側に突出するが、当該頭部４１ａは、中央部の突出長さが大きく、外側に向かうにつれて突出長さが小さくなる形状、即ち中央部が膨出した形状を有する。軸部４１ｂの外周面には、上述のネジ孔のメネジに対応するオネジが形成されている。ネジ４１としては、例えば公知のバインドネジ、ナベネジ、トラスネジ、及び丸ネジ等を用いることができる。
【００４２】
穴２０ｃは、断面図である図１１に示すように、その中央部が深く、外側に向かうにつれて浅くなる形状を有する。本実施形態では、穴２０ｃの外周部は、フランジ２０ｂの平面に対して垂直な角度を基準（０°）として１０°の傾きをなすテーパ面２０ｄを形成している。ただし、テーパ面２０ｄの傾きは１０°に限るものではなく、それより大きくても小さくてもよい。穴２０ｃの中央部の深さは、ネジ４１の頭部４１ａの突出長さよりも例えば１ｍｍ程度深く形成されている。穴２０ｃの深さ方向で見たときに、当該穴２０ｃは、フランジ２０ｂの外周縁に近い側が半円状になっているＵ字状の輪郭を有し、フランジ２０ｂの内周縁に近い側はパッキン２１によって塞がれている。穴２０ｃは、その深さ方向で見たときにネジ４１の頭部４１ａに対して少し広く形成されており、ネジ４１の頭部４１ａを遊びのある状態で収容可能となっている。
【００４３】
上記のように構成された位置決め構造により、表示部１０に筐体２０を載せる位置が仮に少しズレていても、表示部１０側の第２仮想正方形Ｐ２に沿って配置される８つのネジ４１の頭部４１ａが有する湾曲面と、筐体２０側の第１仮想正方形Ｐ１に沿って配置される８つの穴２０ｃのテーパ面２０ｄと、によって、筐体２０は表示部１０上の適切な位置まで自然に案内される。表示部１０に対して筐体２０を載せる位置のズレが大きく、ネジ４１の頭部４１ａの上にフランジ２０ｂが載って表示部１０との間に隙間が生じている場合でも、殆どの場合、その隙間から覗いて穴２０ｃ及びネジ４１の頭部４１ａの位置を目視で確認することなく、表示部１０上で筐体２０を適当な向きに少し動かすことで、上記の案内作用を発揮させ、筐体２０を表示部１０上の適切な位置に隙間なく載せることができる。
【００４４】
上記のようにして筐体２０の位置を表示部１０に対して概ね一致させた図９の状態で、差込孔２０ｆ及びネジ孔１４ｇを用いて図示しないネジで固定することにより、表示部１０の背面に筐体２０を組み付けることができる。
【００４５】
ところで、表示部１０において第２仮想正方形Ｐ２に沿って配置される８つのネジ４１の頭部４１ａは、第２仮想正方形Ｐ２の中心に関して９０°回転対称になっている。また、筐体２０において第１仮想正方形Ｐ１に沿って配置される８つの穴２０ｃは、第１仮想正方形Ｐ１の中心に関して９０°回転対称になっている。従って、本実施形態では、表示部１０を筐体２０に対して横向きに取り付ける場合であっても、縦向きに取り付ける場合であっても、ネジ４１の頭部４１ａと穴２０ｃとによる位置決め（案内作用）を問題なく発揮させることができる。
【００４６】
表示部１０の姿勢を横向きと縦向きの間で切り替えたい場合、以下のようにすれば良い。即ち、最初に、表示装置１を、表示画面１１ａが下を向くようにして作業台等の上に置く。次に、差込孔２０ｆからネジを取り外すことで、筐体２０と表示部１０との締結を解除する。続いて、筐体２０を少し持ち上げて穴２０ｃからネジ４１の頭部４１ａを抜くとともに、当該筐体２０を仮想正方形Ｐ２（Ｐ１）の中心を軸にして９０°回転させる。その後は、上記と同様に、筐体２０を表示部１０の上に載せて、穴２０ｃにネジ４１の頭部４１ａを入れることで位置決めを行う。最後に、差込孔２０ｆにネジを差し込んで固定することで、筐体２０と表示部１０とを再び締結する。
【００４７】
なお、上記の姿勢変更作業に伴って、第１仮想正方形Ｐ１のある辺の穴２０ｃに入っていたネジ４１の頭部４１ａは、その隣の辺の穴２０ｃに入ることになる。このように、ネジ４１の頭部４１ａは、第１仮想正方形Ｐ１のある辺の穴２０ｃ及びその隣の辺の穴２０ｃの何れにも入ることができる。
【００４８】
ところで、上述したように、一側の短辺におけるネジ孔１３ｂ，１３ｂの間の距離Ｄ１が、他側の短辺におけるネジ孔１３ｃ，１３ｃの間の距離Ｄ２よりも少し短くなっている（Ｄ１＜Ｄ２）。従って、ネジ孔１３ｂ，１３ｂに取り付けられるネジ４１（第１軸部材）の頭部４１ａの間の距離と、ネジ孔１３ｃ，１３ｃに取り付けられるネジ４１（第２軸部材）の頭部４１ａの間の距離と、も互いに異なる。しかしながら、その距離の差異は小さく、穴２０ｃと頭部４１ａとの間の遊びで吸収できる程度のものである。従って、表示部１０の姿勢にかかわらず、位置決めを問題なく行うことができる。
【００４９】
また、ネジ孔１３ｂに取り付けられるネジ４１の頭部４１ａは、仮想正方形Ｐ２の辺の中点に若干近い位置に配置され、ネジ孔１３ｃに取り付けられるネジ４１の頭部４１ａは、仮想正方形Ｐ２の辺の中点から若干遠い位置に配置される。従って、表示装置１全体として見たときの、穴２０ｃに対してネジ４１の頭部４１ａが動く範囲が制限されて、精度良く位置決めができるようになっている。
【００５０】
このように、本実施形態の表示装置１では、表示部１０の姿勢の切替えを簡単な操作で行うことができる。また、筐体２０の向きを維持しつつ表示部１０の向きだけを変更することができるので、支持台４０の筐体２０に対する取付位置を変更したり、筐体２０に外部から接続されるケーブル類のレイアウトを変更したりする必要がない。従って、筐体２０及び支持台４０等の構造が簡単になるとともに、表示部１０の向きの切替作業を簡素化することができる。
【００５１】
以上に説明したように、本実施形態の表示装置１は、筐体（第１筐体）２０と、表示部（第２筐体）１０と、を備える。この筐体２０は、フランジ（取付部）２０ｂと、複数の穴（凹部）２０ｃと、を有する。フランジ２０ｂは略正方形である。前記複数の穴２０ｃは、フランジ２０ｂの各辺に対応するように各辺が設けられる第１仮想正方形Ｐ１の隣り合う辺上であって、該第１仮想正方形Ｐ１の中心に対し９０°回転対称となる位置に配置される。また、この表示部１０は、ネジ４１の頭部４１ａ（突出部）を有する。ネジ４１の頭部４１ａは、前記第１仮想正方形Ｐ１と一致する第２仮想正方形Ｐ２の辺上に、前記第１仮想正方形Ｐ１の隣り合う辺の穴２０ｃの何れにも嵌合するように配置される。
【００５２】
これにより、ネジ４１の頭部４１ａを収容する穴２０ｃを変更することで、表示部１０を、筐体２０に対して横向きにも縦向きにも取り付けることができる。その際、ネジ４１の頭部４１ａが穴２０ｃに入る（嵌合する）ように表示部１０及び筐体２０を配置することで容易に位置決めすることができる。よって、表示部１０の姿勢の切替え（例えば、縦向きと横向きの間の切替え）を容易に行うことができる。
【００５３】
また、本実施形態の表示装置１においては、第１筐体は、開口２０ａが形成される筐体２０である。フランジ２０ｂは開口２０ａの周囲に沿って設けられる。第２筐体は、表示部１０である。
【００５４】
これにより、ネジ４１の頭部４１ａを収容する穴２０ｃを変更することで、筐体２０に対して表示部１０が取り付けられる向きを変更することができる。
【００５５】
また、本実施形態の表示装置１において、ネジ４１の頭部４１ａは、図１１に示すように、中央部の突出長さが大きく、外側に向かうにつれて突出長さが小さくなる形状を有する。
【００５６】
このようなネジ４１の頭部４１ａの形状により、穴２０ｃの近傍に配置されたネジ４１の頭部４１ａが穴２０ｃの中に自然と案内され易くなり、位置決めが簡単にできる。
【００５７】
また、本実施形態の表示装置１においては、穴２０ｃは、図１１のテーパ面２０ｄで示すように、中央部が深く、外側に向かうにつれて浅くなる形状を有する。
【００５８】
このような穴２０ｃの形状により、穴２０ｃの近傍に配置されたネジ４１の頭部４１ａが穴２０ｃの中に自然に案内され易くなり、位置決めが簡単にできる。
【００５９】
また、本実施形態の表示装置１においては、第１仮想正方形Ｐ１の各辺上に、穴２０ｃが２つずつ配置される。また、第２仮想正方形Ｐ２の各辺上に、穴２０ｃに対応するネジ４１の頭部４１ａが配置される。
【００６０】
これにより、表示部１０に対して筐体２０を取り付ける際に、あるいは筐体２０に対して表示部１０を取り付ける際に、第１仮想正方形Ｐ１のどの辺から位置合わせをしても、４辺の位置合わせをすることができる。従って、作業の効率化を実現できる。
【００６１】
また、本実施形態の表示装置１においては、穴２０ｃはネジ４１の頭部４１ａに対して広く形成される。
【００６２】
これにより、穴２０ｃとネジ４１の頭部４１ａとの間に遊びが形成されるので、筐体２０を表示部１０に対しておよその位置に配置するだけでネジ４１の頭部４１ａが穴２０ｃに入る（嵌合する）ように案内されて、位置合わせが一層簡単となる。
【００６３】
また、本実施形態の表示装置１においては、以下の構成とすることが好ましい。表示部１０は、背面カバー１４と、構成部品（具体的には、ディスプレイ本体１１及び表示カバー１２）と、を有する。背面カバー１４は、ディスプレイ本体１１の背面を覆う。前記構成部品は、背面カバー１４に取り付けられる。突出部は、背面カバー１４に構成部品を取り付けるネジ４１の頭部４１ａである。
【００６４】
これにより、背面カバー１４に構成部品を取り付けるためのネジ４１の頭部４１ａを位置決めのために用いることができ、部品を有効に活用することができる。
【００６５】
また、本実施形態の表示装置１においては、構成部品は、ディスプレイ本体１１の外周を覆う表示カバー１２と、ディスプレイ本体１１と、である。背面カバー１４に表示カバー１２を取り付けるためのネジ４１（ネジ孔１２ａに取り付けられるネジ４１）は、第２仮想正方形Ｐ２において互いに対向する２辺に配置される。背面カバー１４にディスプレイ本体１１を取り付けるためのネジ４１（ネジ孔１２ｂ，１２ｂに取り付けられるネジ４１）は、第２仮想正方形Ｐ２の他の対向する２辺に配置される。
【００６６】
これにより、背面カバー１４に表示カバー１２及びディスプレイ本体１１を強固に取り付けるとともに、この取付けに用いるネジ４１の頭部４１ａを位置決めのために用いることができ、部品を合理的に活用することができる。
【００６７】
また、本実施形態の表示装置１においては、第１仮想正方形Ｐ１の辺のうちの第１辺には２つの穴２０ｃ，２０ｃが形成されるとともに、それぞれの穴２０ｃに対応するように、表示部１０に２つのネジ４１，４１が（ネジ孔１３ｂ，１３ｂに取り付けられて）配置される。また、第１仮想正方形Ｐ１の辺のうち第１辺と対向する第２辺には２つの穴２０ｃ，２０ｃが形成されるとともに、それぞれの穴２０ｃに対応するように、表示部１０に２つのネジ４１，４１が（ネジ孔１３ｃ，１３ｃに取り付けられて）配置される。ネジ孔１３ｂ，１３ｂに取り付けられるネジ４１，４１の頭部４１ａ，４１ａの間の距離Ｄ１と、ネジ孔１３ｃ，１３ｃに取り付けられるネジ４１，４１の頭部４１ａ，４１ａの間の距離Ｄ２と、が異なる。
【００６８】
これにより、背面カバー１４が表示カバー１２に対して逆向きに取り付けられることをネジ４１の配置によって防止しながら、当該ネジ４１の頭部４１ａを位置決めのために用いることができる。また、表示装置１全体として見たときの、ネジ４１の頭部４１ａ，４１ａ，・・・と穴２０ｃ，２０ｃ，・・・の間の遊びが大きくなり過ぎないようにすることができる。
【００６９】
また、本実施形態の表示装置１においては、表示部１０と、筐体２０内に収容される制御部３０と、を繋ぐ第１ケーブル（配線）１５及び第２ケーブル（配線）１６が、表示部１０の背面（取付側面）の中央部のケーブル通過孔１４ａから引き出されている。
【００７０】
これにより、表示部１０を縦向きから横向きへ、又は横向きから縦向きへ、姿勢を切り替えるときに、配線としての第１ケーブル１５及び第２ケーブル１６を筐体２０と表示部１０との接続部の間に挟んでしまうことを防止することができ、配線の挟み込みに特段注意を払うことなく表示部１０の姿勢の切替えを行うことができる。
【００７１】
また、本実施形態の表示装置１においては、表示部１０と制御部３０とを繋ぐ配線（第１ケーブル１５及び第２ケーブル１６）が引き出される表示部１０の背面のケーブル通過孔１４ａは、円形状に形成される。
【００７２】
これにより、筐体２０を表示部１０に対して、又は表示部１０を筐体２０に対して、仮想正方形Ｐ１（Ｐ２）の中心を軸にして９０°単位で回転させても、ケーブル通過孔１４ａから引き出される第１ケーブル１５及び第２ケーブル１６の長さや状態が殆ど変更されないので、円滑に姿勢変更が行える。
【００７３】
また、本実施形態の表示装置１においては、筐体２０の内部にケーブルクランプ３１が配置されている。このケーブルクランプ３１は、制御部３０とディスプレイ本体１１とを電気的に接続する配線（第１ケーブル１５及び第２ケーブル１６）が制御部３０に接続する箇所よりも前記開口２０ａの中央部に近い位置に配置され、当該配線を保持する。
【００７４】
これにより、第１ケーブル１５及び第２ケーブル１６が筐体２０の外側に出てしまうことをより確実に防止することができ、配線の挟み込みをなくすことができる。
【００７５】
また、本実施形態の表示装置１においては、表示部１０は長方形状である。
【００７６】
これにより、筐体２０に対して表示部１０が取り付けられる姿勢を縦長の姿勢にも横長の姿勢にもすることができる。
【００７７】
以上に本発明の好適な実施の形態を説明したが、上記の構成は例えば以下のように変更することができる。
【００７８】
上記の実施形態では、筐体２０側に複数の凹部としての穴２０ｃが配置され、表示部１０側にこれに対応する複数の突出部としてのネジ４１の頭部４１ａが配置されている。しかしながら、表示部１０側に複数の凹部が配置され、筐体２０側にこれに対応する複数の突出部が配置されるように構成してもよい。この場合、表示部１０が第１筐体に対応し、筐体２０が第２筐体に対応する。上記の凹部は、表示部１０に設定される第１仮想正方形の各辺に配置され、上記の突出部は、筐体２０に設定される第２仮想正方形の各辺に配置される。なお、その場合、第１筐体の略正方形の取付部とは、第１筐体が第２筐体と重ね合わされるときの第１筐体側の略正方形状の面を指す。
【００７９】
表示部１０の姿勢を変更するときに、表示部１０に対して筐体２０を回転させても良いし、筐体２０に対して表示部１０を回転させても良い。
【００８０】
上記の実施形態では、穴２０ｃの外周部は、１０°の傾きをなすテーパ面２０ｄを形成しているものとした。しかしながら、これに限るものではなく、穴２０ｃは、その中央部が深く、外側に向かうにつれて浅くなる形状を有するものであればよい。即ち、例えば、穴２０ｃを半球状の形状に形成してもよい。
【００８１】
上記の実施形態では、突出部は、表示カバー１２に構成部品を取り付けるためのネジ４１の頭部４１ａであるものとしたが、必ずしもこれに限るものではなく、例えばこれに代えて、背面カバー１４の背面に位置決め専用の部材として設けた突起を、突出部としてもよい。また、ネジ４１に代えてリベット及びピン等を用いても良い。
【００８２】
上記の実施形態では、穴２０ｃは仮想正方形の各辺に２つずつ（合計８つ）配置され、当該穴２０ｃに対応する突出部としてのネジ４１の頭部４１ａが８つ配置されるものとしたが、これに限るものではなく、例えばこれに代えて、仮想正方形の各辺に１つずつ穴２０ｃが配置され、当該穴２０ｃに対応する突出部としてのネジ４１の頭部４１ａが４つ配置されるものとしてもよい。また、穴２０ｃの数と、突出部としてのネジ４１の頭部４１ａの数と、は必ずしも同数である必要はなく、例えば突出部の数が穴の数よりも少ない構成としてもよい。
【００８３】
上記の実施形態では、穴２０ｃは筐体２０の開口２０ａの外側に張り出したフランジ（取付部）２０ｂに形成されるものとしたが、必ずしもこれに限るものではなく、例えばこれに代えて、筐体２０の４つの側面における開放側の端部に形成されるものとしてもよく、あるいは、筐体２０の開口２０ａの内側に張り出したフランジに形成されているものとしてもよい。
【００８４】
穴２０ｃは、図１０に示す形状に限定されず、例えば、切欠き状、溝状に形成されても良いし、貫通状の凹部として形成されても良い。
【００８５】
上記の実施形態において、ネジ孔１２ａに取り付けられるネジ４１は、背面カバー１４に表示カバー１２を固定するのに用いられ、ネジ孔１３ｂ，１３ｃに取り付けられるネジ４１は、背面カバー１４に（ディスプレイ取付フレーム１３を介して）ディスプレイ本体１１を取り付けるために用いられる。しかしながら、仮想正方形Ｐ２に沿って頭部４１ａが配置されるネジ４１は、表示カバー１２ともディスプレイ本体１１とも異なる部品を背面カバー１４に取り付けるために用いられても良い。
【００８６】
４つのネジ孔１２ａのうち、表示部１０の一側の長辺に位置するネジ孔１２ａ，１２ａの間隔と、他側の長辺に位置するネジ孔１２ａ，１２ａの間隔と、を異ならせて、背面カバー１４に対する表示カバー１２の誤った向きでの組付けを防止しても良い。
【００８７】
ディスプレイ本体１１は液晶パネルに限られず、例えば有機ＥＬパネル又はプラズマディスプレイパネルであっても良い。また、タッチスクリーン機能を有していなくてもよい。
【００８８】
上記の実施形態の表示装置１は、図略の操作部を別途備えるものとしたが、この操作部は省略しても良い。
【００８９】
上記の実施形態では、制御部３０が第１筐体としての筐体２０内に収容されるものとしたが、これに限るものではなく、制御部が第２筐体に収容されていてもよい。また、第１筐体側を表示部としても、第２筐体側を表示部としても、何れでもよい。
【符号の説明】
【００９０】
１  表示装置
１０  表示部
２０  筐体
２０ａ  開口
２０ｃ  穴（凹部）
３０  制御部
４１  ネジ（軸部材）
４１ａ  （ネジの）頭部（突出部）
【図１】
2018006532.tif 000003
【図２】
2018006532.tif 000004
【図３】
2018006532.tif 000005
【図４】
2018006532.tif 000006
【図５】
2018006532.tif 000007
【図６】
2018006532.tif 000008
【図７】
2018006532.tif 000009
【図８】
2018006532.tif 000010
【図９】
2018006532.tif 000011
【図１０】
2018006532.tif 000012
【図１１】
2018006532.tif 000013